(57)【特許請求の範囲】
【請求項１】
断熱構造の容器本体の開口部に対して着脱自在に螺着される栓本体と、該栓本体に対して着脱自在とされる栓キャップとからなる中空体として構成された液体保温容器の栓装置であって、前記栓本体には、前記容器本体内と前記栓本体内の断熱空間とを連通する正圧あるいは負圧解消用の連通孔を形成し且つ該連通孔を開閉する弁体を設けるとともに、前記栓キャップには、該栓キャップの離脱方向への操作と連動して前記弁体を開作動させる開弁作動機構を設けたことを特徴とする液体保温容器の栓装置。
【発明の詳細な説明】
【０００２】
【発明の属する技術分野】
【０００３】
本願発明は、液体保温容器の栓装置に関するものである。
【従来の技術】
【０００４】
例えば、断熱構造の容器本体の開口部を栓装置により密閉することにより、液体等を保温貯蔵するタイプの液体保温容器は従来から良く知られている。このようなタイプの液体保温容器の場合、保温性能を向上させるためには、栓装置における断熱性能の向上が一つの重要な要因となっており、そのために、栓装置を、内部に断熱空間を有する中空体により構成するようにしている。
【０００５】
ところで、上記のように栓装置を中空体で構成するようにした場合、栓装置内に水や蒸気が侵入することがあり、内部に雑菌や黴が繁殖するおそれがある。このような事態に対処するために、栓装置を、容器本体の開口部に対して着脱自在に螺合される栓本体と、該栓本体に対して着脱自在とされる栓キャップとによって分解可能に構成したものが多用されてきている。
【０００６】
ところで、上記構成の液体保温容器の場合、容器本体内に熱湯を入れた状態で栓装置を容器本体の開口部に螺着して使用することとなっているが、容器本体内部の圧力が熱湯から蒸発する水蒸気により上昇する。この現象は、保温性能の高いものほど顕著であり、このような内圧上昇によって栓装置に対して上向きの力が作用することとなる。すると、栓装置と容器本体開口部との螺合部がきしんで螺合解除が難しくなり、栓装置を取り外しにくくなるという問題が生じていた。
【０００７】
また、容器本体内に長時間液体を保温しておいた場合には、容器本体内の水蒸気が液化して内部が負圧となるという現象が生ずることがある。このような現象が生ずると、上記した内圧上昇時とは逆に、栓装置が内方に引き込まれることとなる。すると、上記した内圧上昇時と同様に、栓装置と容器本体開口部との螺合部がきしんで螺合解除が難しくなり、栓装置を取り外しにくくなるという問題が生じていた。
【０００８】
そこで、従来の方法では、栓装置を構成する栓本体に容器本体内に連通する連通孔を形成し、該連通孔を開閉する弁体を設けて、該弁体を適宜手動により開弁することにより、容器本体内と外部とを連通させて、容器本体内の正圧あるいは負圧を解消するようにしていた。
【発明が解決しようとする課題】
【０００９】
しかしながら、上記した圧力解消方法では、弁体を開弁作動させるために、栓キャップを栓本体から離脱させる必要があり、操作性がよくないという問題がある。
【００１０】
本願発明は、上記の点に鑑みてなされたもので、容器本体内の正圧あるいは負圧を簡易な構造で解消し得るようにすることを目的とするものである。
【課題を解決するための手段】
【００１１】
請求項１の発明では、上記課題を解決するための手段として、断熱構造の容器本体の開口部に対して着脱自在に螺着される栓本体と、該栓本体に対して着脱自在とされる栓キャップとからなる中空体として構成された液体保温容器の栓装置において、前記栓本体に、前記容器本体内と前記栓本体内の断熱空間とを連通する正圧あるいは負圧解消用の連通孔を形成し且つ該連通孔を開閉する弁体を設けるとともに、前記栓キャップに、該栓キャップの離脱方向への操作と連動して前記弁体を開作動させる開弁作動機構を設けている。
【００１２】
上記のように構成したことにより、栓キャップの離脱方向への操作と連動する開弁作動機構により弁体が開作動されて、容器本体内と外部（換言すれば、栓本体内の断熱空間）とが連通孔を介して連通状態とされることとなり、容器本体内の正圧あるいは負圧が容易に解消されることとなる。従って、栓キャップを離脱方向に操作するという簡単な操作で、栓装置の取り外しを困難にしていた正圧あるいは負圧を解消させることができるのである。
【発明の実施の形態】
【００１３】
以下、添付の図面を参照して、本願発明の幾つかの好適な実施の形態について詳述する。
【００１４】
第１の実施の形態
図１ないし図４には、本願発明の第１の実施の形態にかかる液体保温容器の栓装置が示されている。
【００１５】
この液体保温容器は、図１に示すように、ステンレス製の真空二重容器（即ち、断熱構造の容器）からなる容器本体１と、該容器本体１の開口部１ａを密閉閉栓する栓装置２とによって構成されている。
【００１６】
前記容器本体開口部１ａの内周面には、前記栓装置２を螺合するためのネジ部３が形成されている。
【００１７】
前記栓装置２は、前記容器本体開口部１ａのネジ部３に対して螺合されるネジ部４を有する栓本体５と、該栓本体５に対して着脱自在に螺着される栓キャップ６とからなる中空体として構成されている。つまり、栓装置２内には、断熱空間Ｓ1が形成されることとなっているのである。
【００１８】
前記栓本体５は、有底円筒状の合成樹脂製（例えば、ポリプロピレン製）の栓部５ａと該栓部５ａの上端口縁から該栓部５ａの外周側に垂設されて前記容器本体開口部１ａの外側をカバーする合成樹脂製（例えば、ポリプロピレン製）のカバー部５ｂとからなっており、本実施の形態においては、栓部５ａが、前記カバー部５ｂと一体成形され且つ前記ネジ部４を有する円筒体５ａ1と、該円筒体５ａ1の下端に溶着等により一体的に結合された円盤部５ａ2とにより構成されている。このようにした理由は、後に詳述するように、円盤部５ａ2にガイド筒１６を形成するために部材の形状を単純化する必要があるからである。符号７は栓体２と容器本体開口部１ａとの間の気密を保持するためのシールパッキンである。
【００１９】
一方、前記栓キャップ６は、前記栓本体５の栓部５ａに内挿される有頂円筒状の合成樹脂製（例えば、ポリプロピレン製）の栓キャップ本体６ａと、該栓キャップ本体６ａの外周面上端から一体に垂設され且つ当該外周面との間に環状空間Ｓを形成するとともに前記栓本体５への螺合時に該栓本体５の上端に当接される外鍔部６ｂと、該外鍔部６ｂおよび前記栓キャップ本体６ａの外周面を被覆するステンレス製の保護カバー６ｃとからなっている。
【００２０】
該保護カバー６ｃの下端には、内向きに突設された内向き鍔部８が一体に形成されており、保護カバー６ｃは、その内向き鍔部８を前記外鍔部６ｂの下端部に食い込ませた状態で一体成形されている。このようにすれば、保護カバー６ｃが強固に一体化されることとなり、内部への水侵入も防止できる。
【００２１】
前記栓本体５における栓部５ａの内周面および前記栓キャップ６における栓キャップ本体６ａの外周面には、互いに螺合し合うネジ部９，１０がそれぞれ一体に形成されている。ここで、ネジ部９は、前記栓本体５の内周面において対称位置となるように一対形成されており、ネジ部１０は、前記栓キャップ６の外周面において螺旋状に形成されている（図２および図３参照）。
【００２２】
前記栓キャップ６の内頂面には、開弁作動機構として作用するリブ１１が一体に垂設されている。該リブ１１は、前記栓キャップ６の中心から偏心した位置より垂設されている。つまり、図２に示すよう、該リブ１１は、栓キャップ６の回動時においては回動軌跡Ｒ上を回動することとなっているのである。
【００２３】
一方、前記栓本体５を構成する栓部５ａの円盤部５ａ2には、前記リブ１１の回転軌跡Ｒ上に位置させて容器本体１内と前記断熱空間Ｓ1とを連通する正圧あるいは負圧解消用の連通孔１２と該連通孔１２を開閉する弁体１３とが設けられている。該弁体１３は、前記連通孔１２を開閉する弁部１３ａと、該弁部１３ａの中心部から前記連通孔１２を貫通して上方に延設された弁棒部１３ｂとからなっており、該弁棒部１３ｂの上端には、前記弁体１３を閉弁方向に付勢するスプリング１４の上端を支持するスプリング受け１５が取り付けられている。該スプリング１４の下端は、前記栓部５ａの円盤部５ａ2上に支持されている。符号１８は弁体１３の弁部１３ａに付設されたシールパッキンである。
【００２４】
また、前記栓部５ａの円盤部５ａ2上には、前記弁体１３の開閉作動時に前記スプリング受け１５をガイドする円筒状のガイド筒１６が一体に突設されている。該ガイド筒１６の高さは、前記リブ１１により弁体１３の弁棒部１３ｂ上端を押し下げて弁体１３を開弁作動させる必要があるところから、前記リブ１１の下端より高くされる。さらに、前記ガイド筒１６の上端には、前記リブ１１の回転軌跡Ｒ上に位置させて該リブ１１の先端部の通過を許容する切欠溝１７，１７が形成されている（図３参照）。該各切欠溝１７の深さは、前記リブ１１の下端より深くされる。
【００２５】
上記のように構成された液体保温容器においては、次のような作用効果が得られる。
【００２６】
栓キャップ６を螺脱方向へ少し回動させると、該回動と連動して開弁作動機構として作用するリブ１１が所定の回動軌跡Ｒ上を移動し、ガイド筒１６の切欠溝１７に案内されて回動軌跡Ｒ上に位置せしめられている弁体１３の弁棒部１３ｂの上端を押圧して弁体１３を開弁作動させることとなる（図４参照）。その結果、容器本体１内と外部（換言すれば、栓本体５内の断熱空間Ｓ1）とが連通孔１２を介して連通状態とされることとなり、容器本体１内の正圧あるいは負圧が容易に解消されることとなる。従って、栓キャップ６を螺脱方向に操作するという簡単な操作で、栓装置２の取り外しを困難にしていた内圧上昇あるいは内圧降下を解消させることができるのである。上記栓キャップ６の螺脱方向への回動は、リブ１１が弁体１３を開弁作動できる範囲であればよい。
【００２７】
なお、栓キャップ６を完全に螺脱してしまえば、栓本体５および栓キャップ６の内部を洗浄できることとなり、栓装置２内に水や蒸気が侵入して内部に雑菌や黴が繁殖しているおそれがある場合にも、きれいに洗浄することができる。
【００２８】
第２の実施の形態
図５および図６には、本願発明の第２の実施の形態にかかる液体保温容器の栓装置が示されている。
【００２９】
この場合、栓本体５は、有底円筒形状の合成樹脂製（例えば、ポリプロピレン製）の栓部５ａと該栓部５ａの上端口縁から該栓部５ａの外周側に垂設されて容器本体１の開口部１ａの外側をカバーする合成樹脂製（例えば、ポリプロピレン製）のカバー部５ｂとからなっており、栓部５ａとカバー部５ｂとは、溶着等により一体的に結合されている。また、前記栓本体５の栓部５ａの中心部には、容器本体１内と栓本体５内の断熱空間Ｓ1とを連通する正圧あるいは負圧解消用の連通孔１２が形成される一方、前記栓キャップ６の内頂面中心部には、前記連通孔１２を開閉する棒状の弁体１３が一体に垂設されている。該弁体１３は、前記栓キャップ６の螺合完了状態において前記連通孔１２を閉止し、前記栓キャップ６の螺脱方向への操作時に前記連通孔１２を開放することとなっている。つまり、本実施の形態においては、栓キャップ６自体が開弁作動機構を構成することとなっているのである。符号１９は前記弁体１３の下端に付設されたシールパッキンである。このようにしたことにより、栓キャップ６の螺脱方向への操作により弁体１３が上昇して開弁作動されることとなり（図６参照）、簡略な構造で容器本体１内の内圧上昇あるいは内圧降下を容易に解消することができる。その他の構成および作用効果は、第１の実施の形態におけると同様なので説明を省略する。
【００３０】
第３の実施の形態
図７および図８には、本願発明の第３の実施の形態にかかる液体保温容器の栓装置の要部が示されている。
【００３１】
この場合、栓本体５は、有底円筒形状の合成樹脂製（例えば、ポリプロピレン製）の栓部５ａと該栓部５ａの上端口縁から該栓部５ａの外周側に垂設されて容器本体１の開口部１ａの外側をカバーする合成樹脂製（例えば、ポリプロピレン製）のカバー部５ｂとからなっており、栓部５ａとカバー部５ｂとは、溶着等により一体的に結合されている。また、前記栓本体５の栓部５ａの中心部には、容器本体１内と栓本体５内の断熱空間Ｓ1とを連通する正圧あるいは負圧解消用の連通孔１２が形成される一方、前記栓キャップ６の内頂面中心部には、前記連通孔１２を開閉する棒状の弁体１３が一体に垂設されている。前記連通孔１２は、前記栓部５ａの中心部に形成された開口２０に嵌挿された環状パッキン２１の穴により構成されている。該弁体１３は、前記栓キャップ６の螺合完了状態において前記連通孔１２を閉止し、前記栓キャップ６の螺脱方向への操作時に前記連通孔１２を開放することとなっている。つまり、本実施の形態においては、栓キャップ６自体が開弁作動機構を構成することとなっているのである。符号１９は前記弁体１３の下端に付設されたシールパッキンである。このようにしたことにより、栓キャップ６の螺脱方向への操作により弁体１３が上昇して開弁作動されることとなり（図８参照）、簡略な構造で容器本体１内の正圧あるいは負圧を容易に解消することができる。しかも、本実施の形態においては、連通孔１２を、前記栓部５ａの中心部に形成された開口２０に嵌挿された環状パッキン２１の穴により構成するようにしているため、弁体１３による閉止時におけるシール性が向上することとなり、保温性能が向上する。その他の構成および作用効果は、第１の実施の形態におけると同様なので説明を省略する。
【００３２】
第４の実施の形態
図９および図１０には、本願発明の第４の実施の形態にかかる液体保温容器の栓装置の要部が示されている。
【００３３】
この場合、栓本体５は、有底円筒形状の合成樹脂製（例えば、ポリプロピレン製）の栓部５ａと該栓部５ａの上端口縁から該栓部５ａの外周側に垂設されて容器本体１の開口部１ａの外側をカバーする合成樹脂製（例えば、ポリプロピレン製）のカバー部５ｂとからなっており、栓部５ａとカバー部５ｂとは、溶着等により一体的に結合されている。また、前記栓本体５の栓部５ａの中心部には、容器本体１内と栓本体５内の断熱空間Ｓ1とを連通する正圧あるいは負圧解消用の連通孔１２が形成されており、該連通孔１２は、弁体１３により開閉されることとなっている。該弁体１３は、前記栓部５ａの中心に支持される支持部１３ｃの下端に前記連通孔１２を下側から閉止する傘状部１３ｄをゴム等の弾性部材により一体形成してなっており、前記傘状部１３ｄにおいて前記連通孔１２と反対側に位置する部分には、前記栓部５ａの底面に形成された貫通穴２２を貫通して上方に延びる棒状の操作部１３ｅが一体形成されている。さらに、栓キャップ６の内周面には、開弁作動機構として作用するカム片２３が突設されている。該カム片２３は、栓キャップ６の螺脱方向への回動と連動して移動し、前記弁体１３の操作部１３ｅを押圧することとなっている。このようにしたことにより、栓キャップ６の螺脱方向への回動と連動して開弁作動機構として作用するカム片２３が移動し、カム片２３の当接力によって弁体１３の操作部１３ｅが押し下げられ、弁体１３が開作動されることとなる（図１０参照）。その結果、容器本体１内と外部とが連通孔１２を介して連通状態とされることとなり、容器本体１内の正圧が容易に解消されることとなる。従って、栓キャップを螺脱方向に操作するという簡単な操作で、栓装置の取り外しを困難にしていた正圧を解消させることができるのである。なお、この実施の形態においては、容器本体１内の内圧が降下して負圧となった場合には、弁体１３の傘状部１３ｄが自然に開き、負圧が解消されることとなっている。
【００３４】
上記各実施の形態においては、栓キャップを栓本体に螺合することにより着脱自在に結合することとしているが、栓キャップと栓本体との結合構造としては、他の方式（例えば、ヘリコイド結合、嵌合等）を採用することも可能である。
【発明の効果】
【００３５】
本願発明によれば、断熱構造の容器本体の開口部に対して着脱自在に螺着される栓本体と、該栓本体に対して着脱自在とされる栓キャップとからなる中空体として構成された液体保温容器の栓装置において、前記栓本体に、前記容器本体内と前記栓本体内の断熱空間とを連通する正圧あるいは負圧解消用の連通孔を形成し且つ該連通孔を開閉する弁体を設けるとともに、前記栓キャップに、該栓キャップの離脱方向への操作と連動して前記弁体を開作動させる開弁作動機構を設けて、栓キャップの離脱方向への操作と連動する開弁作動機構により弁体が開作動されて、容器本体内と外部（換言すれば、栓本体内の断熱空間）とが連通孔を介して連通状態とされるようにしたので、容器本体内の正圧あるいは負圧が容易に解消されることとなり、栓キャップを離脱方向に操作するという簡単な操作で、栓装置の取り外しを困難にしていた正圧あるいは負圧を解消させることができるという効果がある。
【図面の簡単な説明】
【００３６】
【図１】本願発明の第１の実施の形態にかかる栓装置を有する液体保温容器の縦断面図である。
【図２】本願発明の第１の実施の形態にかかる液体保温容器の栓装置における栓キャップの下面図である。
【図３】本願発明の第１の実施の形態にかかる液体保温容器の栓装置における栓本体の平面図である。
【図４】本願発明の第１の実施の形態にかかる栓装置を有する液体保温容器における開弁動作時の状態を示す要部断面図である。
【図５】本願発明の第２の実施の形態にかかる栓装置を有する液体保温容器の縦断面図である。
【図６】本願発明の第２の実施の形態にかかる栓装置を有する液体保温容器における開弁動作時の状態を示す要部断面図である。
【図７】本願発明の第３の実施の形態にかかる栓装置を有する液体保温容器の要部を示す断面図である。
【図８】本願発明の第３の実施の形態にかかる栓装置を有する液体保温容器における開弁動作時の状態を示す要部断面図である。
【図９】本願発明の第４の実施の形態にかかる栓装置を有する液体保温容器の要部を示す断面図である。
【図１０】本願発明の第４の実施の形態にかかる栓装置を有する液体保温容器における開弁動作時の状態を示す要部断面図である。
【符号の説明】
【００３７】
１は容器本体、１ａは開口部、２は栓装置、５は栓本体、６は栓キャップ、１１は開弁作動機構（リブ）、１２は連通孔、１３は弁体、２３は開弁作動機構（カム片）、Ｓ1は断熱空間、Ｒは回動軌跡。
【図１】
0003608461.tif 000002
【図２】
0003608461.tif 000003
【図３】
0003608461.tif 000004
【図４】
0003608461.tif 000005
【図５】
0003608461.tif 000006
【図６】
0003608461.tif 000007
【図７】
0003608461.tif 000008
【図８】
0003608461.tif 000009
【図９】
0003608461.tif 000010
【図１０】
0003608461.tif 000011